(57)【特許請求の範囲】
【請求項１】
偏平の箱型の筐体と、
前記筐体の正面に取り付けられたタッチパネルと、
前記筐体の内部に形成された、バッテリーを収容するためのバッテリー収容空間と、
前記筐体の左側面又は右側面から前記筐体の内部に向けて中空に形成された、前記タッチパネルの操作に用いられるペンを収容するためのペン収容空間と、前記筐体の内部に配置された基板と、を含み、
前記タッチパネルの形状は、上端及び下端の辺が左端及び右端の辺よりも長い長方形であり、
前記正面の下端と前記タッチパネルの下端との間の領域である下方領域の上下方向の幅は、前記正面の左端と前記タッチパネルの左端との間の領域である左方領域の左右方向の幅、及び、前記正面の右端と前記タッチパネルの右端との間の領域である右方領域の左右方向の幅の何れよりも広く、
前記バッテリー収容空間の位置は、前記筐体の背面の下端と、前記正面の中心点を通り前記正面の上端又は下端の辺と平行な中心線との間の領域内であり、
前記バッテリー収容空間の中心点は、前記正面の中心点を含みかつ左右方向に広がる幅２ｃｍの帯状領域内であり、
前記ペン収容空間の長手方向の軸は、前記バッテリー収容空間の上面に対して平行であり、
前記基板の位置は、前記バッテリー収容空間よりも上方であり、
前記ペン収容空間の位置は、前記基板の下端と前記バッテリー収容空間の上端との間の領域内であり、
前記バッテリー収容空間には２つのバッテリーが左右に並べて収容され、収容された前記２つのバッテリーの各々の電源端子は互いに対向し、
前記電源端子と前記基板とを結ぶ配線は、前記背面に対して平行な平面視において、前記ペン収容空間と交差しない、
無線通信端末。
【請求項２】
前記ペン収容空間の位置は、前記背面と、前記タッチパネルの裏に対向して配置された金属部材との間である、
請求項１に記載の無線通信端末。
【請求項３】
前記筐体の背面に取り付けられた、前記背面に対して垂直な光軸を有するカメラをさらに含み、
前記カメラの位置は、前記正面の上端と前記タッチパネルの上端との間の領域である上方領域に対向する前記背面の領域内である、
請求項１又は２に記載の無線通信端末。
【請求項４】
前記筐体の正面に取り付けられた少なくとも１つの第１のボタンをさらに含み、
前記第１のボタンの位置は、前記下方領域内である、
請求項１から３の何れか１項に記載の無線通信端末。
【請求項５】
前記筐体の正面に取り付けられた少なくとも１つの第２のボタンをさらに含み、
前記第２のボタンの位置は、前記左方領域又は前記右方領域における、前記正面の中心点を通り前記正面の上端又は下端の辺と並行な中心線と前記タッチパネルの上端の辺を延長した線との間の領域内である、
請求項１から４の何れか１項に記載の無線通信端末。
【発明の詳細な説明】
【技術分野】
【０００１】
本開示は、無線通信端末に関する。
【背景技術】
【０００２】
特許文献１には、偏平な箱型のＡ４サイズの筐体と、筐体の背面に取り付けられたバッテリーと、筐体の正面に取り付けられたタッチパネルと、スタイラスペンを収容するために筐体内に向けて形成されたペン収容空間と、を含むタブレット端末が開示されている。
【先行技術文献】
【特許文献】
【０００３】
【特許文献１】特開平１０−２４０４２０号公報
【発明の概要】
【発明が解決しようとする課題】
【０００４】
特許文献１に開示されるタブレット端末は、無線通信のためのアンテナを備えていないため、筐体内に向けてペン収容空間を形成するにあたっての制約が少ない。これに対して、無線通信のためのアンテナを備える無線通信端末では、受信特性の高い位置にアンテナを配置することが優先されるため、筐体にペン収容空間を形成する際の制約が多い。
【０００５】
本開示は、筐体内の適切な位置にペン収容空間が形成された無線通信端末の提供を目的とする。
【課題を解決するための手段】
【０００６】
本開示の一態様に係る無線通信端末は、偏平の箱型の筐体と、前記筐体の正面に取り付けられたタッチパネルと、前記筐体の内部に形成された、バッテリーを収容するためのバッテリー収容空間と、前記筐体の左側面又は右側面から前記筐体の内部に向けて中空に形成された、前記タッチパネルの操作に用いられるペンを収容するためのペン収容空間と、前記筐体の内部に配置された基板と、を含み、前記タッチパネルの形状は、上端及び下端の辺が左端及び右端の辺よりも長い長方形であり、前記正面の下端と前記タッチパネルの下端との間の領域である下方領域の上下方向の幅は、前記正面の左端と前記タッチパネルの左端との間の領域である左方領域の左右方向の幅、及び、前記正面の右端と前記タッチパネルの右端との間の領域である右方領域の左右方向の幅の何れよりも広く、前記バッテリー収容空間の位置は、前記筐体の背面の下端と、前記正面の中心点を通り前記正面の上端又は下端の辺と平行な中心線との間の領域内であり、前記バッテリー収容空間の中心点は、前記正面の中心点を含みかつ左右方向に広がる幅２ｃｍの帯状領域内であり、前記ペン収容空間の長手方向の軸は、前記バッテリー収容空間の上面に対して平行であり、前記基板の位置は、前記バッテリー収容空間よりも上方であり、前記ペン収容空間の位置は、前記基板の下端と前記バッテリー収容空間の上端との間の領域内であり、前記バッテリー収容空間には２つのバッテリーが左右に並べて収容され、収容された前記２つのバッテリーの各々の電源端子は互いに対向し、前記電源端子と前記基板とを結ぶ配線は、前記背面に対して平行な平面視において、前記ペン収容空間と交差しない。
【発明の効果】
【０００７】
本開示によれば、筐体内の適切な位置にペン収容空間が形成された無線通信端末を提供できる。
【図面の簡単な説明】
【０００８】
【図１】一実施の形態に係る無線通信端末の外観例を示す斜視図
【図２】一実施の形態に係る無線通信端末の外観例を示す正面図
【図３】一実施の形態に係る無線通信端末の外観例を示す背面図
【図４】一実施の形態に係る無線通信端末の外観例を示す左側面図
【図５】一実施の形態に係る無線通信端末の外観例を示す右側面図
【図６】一実施の形態に係る無線通信端末の外観例を示す平面図
【図７】一実施の形態に係る無線通信端末の外観例を示す底面図
【図８】図３に示す無線通信端末におけるＡ−Ａ断面図
【発明を実施するための形態】
【０００９】
以下、図面を適宜参照して、本開示の実施の形態について、詳細に説明する。ただし、必要以上に詳細な説明は省略する場合がある。例えば、すでによく知られた事項の詳細説明及び実質的に同一の構成に対する重複説明を省略する場合がある。これは、以下の説明が不必要に冗長になるのを避け、当業者の理解を容易にするためである。なお、添付図面及び以下の説明は、当業者が本開示を十分に理解するために提供されるのであって、これらにより特許請求の記載の主題を限定することは意図されていない。
【００１０】
（本開示に至る経緯）
タッチパネルが７インチ以上の携帯型の端末の場合、端末の操作は、タッチパネルを操作可能なペン（例えばスタイラスペン）を用いた方が容易になる。端末と一緒にペンを持ち運ぶ方法は、次のようにいくつか考えられる。
【００１１】
第１の方法として、ペンと端末をストラップでつなぐ方法が考えられる。タッチパネルが７インチ以上の場合、タッチパネル上でのペンの移動距離が比較的長くなるため、ストラップには十分な長さが求められる。この場合、ストラップが比較的長くなるため、端末の持ち運びの際にペンが大きく揺れて邪魔になる。
【００１２】
第２の方法として、ペンを着脱できる着脱構造をストラップに取り付け、使用時にペンをストラップから外す方法が考えられる。この場合、端末を持ち運ぶ際にストラップ及び着脱構造が揺れ、着脱構造が端末に接触して端末を傷つける可能性がある。また、第２の方法を７インチ以上のタッチパネルを有する端末に適用する場合、ユーザにとって、端末を把持したまま、一方の手でストラップを持ち、他方の手でストラップからペンを取り外す動作が難しい。
【００１３】
第３の方法として、端末の側面に磁石を設け、磁石にペンを張り付ける方法が考えられる。しかし、無線通信端末の場合、無線通信用のアンテナが、アンテナ特性の向上のために筐体の上面及び／又は側面の付近に配置されるため、アンテナ近くの上面及び／又は側面にアンテナ特性の劣化を招く磁石を取り付けることは難しい。また、筐体の背面に磁石を設ける場合、磁石に張り付けたペンが背面の突起物となり、無線通信端末を卓上に置いたときにガタつきが生じてしまう。また、ユーザにとって、端末を把持し、タッチパネルを見たまま、背面のペンを取る動作が難しい。
【００１４】
第４の方法として、ペンを端末の筐体内に収容する方法が考えられる。この場合、筐体内にペンを収容するための空間を要するため、アンテナ、基板及び／又はバッテリーといった端末が備える他の構成要素の配置との兼ね合いが難しい。
【００１５】
７インチ以上のタッチパネルを有する無線通信端末のバッテリーは、携帯電話のような小型の無線通信端末のバッテリーと比較して、サイズも重量も大きい。無線通信端末の重量バランスの安定性を鑑みると、このようなバッテリーは、筐体の底面に近くかつ両側面から均等に離れた位置に取り付けられることが望ましい。また、７インチ以上のタッチパネルを有する無線通信端末は、タッチパネルの縦横の比率に比べて、無線通信端末の筐体のタッチパネルを取り付けた面（正面）の比率を、より正方形に近い形状にした方が、重量バランスが安定し、持ち運びし易くなる。
【００１６】
また、無線通信端末では、アンテナが筐体の上面及び／又は側面に配置され、端子口が筐体の側面に配置され、基板がアンテナ及び端子口からあまり離れることなくできるだけ一箇所にまとまって配置されることが望ましい。
【００１７】
上述を鑑みて、以下では、他の構成要素の配置を考慮した適切な筐体内の位置に、ペンを収容するためのペン収容空間を形成した無線通信端末について説明する。
【００１８】
（一実施の形態）
図１から図７は、一実施の形態に係る無線通信端末の外観の例を示す図であり、図１が斜視図、図２が正面図、図３が背面図、図４が左側面図、図５が右側面図、図６が平面図、図７が底面図である。
【００１９】
なお、本開示の説明では、図中における、Ｘ軸の正方向を右、Ｘ軸の負方向を左、Ｙ軸の正方向を上、Ｙ軸の負方向を下、Ｚ軸の正方向を手前、Ｚ軸の負方向を奥と表現する場合がある。
【００２０】
無線通信端末１は、電子機器の一例であり、例えば、スマートフォン、携帯電話、タブレット、デジタルカメラ、携帯型パーソナルコンピュータ、無線機である。本実施の形態では、耐衝撃、耐振動、防滴、防塵等の性能を備え、一般的な端末と比べて重量の大きいタブレット型の無線通信端末１について説明する。無線通信端末１は、工場、工事現場、公共安全業務、輸送業務といった、電子機器にとって厳しい環境での使用が可能である。無線通信端末１は、業務用に限らず、個人用であってもよい。
【００２１】
＜筐体＞
図１から図７に示すように、無線通信端末１の筐体１０は、偏平の箱型であり、筐体１０の手前の面である正面１１、筐体１０の奥の面である背面１２、筐体１０の左側の面である左側面１３、筐体１０の右側の面である右側面１４、筐体１０の上側の面である上面１５、及び、筐体１０の下側の面である底面１６を有する。
【００２２】
正面１１の形状は、図２に示すように、上端及び下端の辺が左端及び右端の辺よりも長く、角を丸めた横長の長方形である。なお、正面１１の形状は、長方形に限らず、角を丸めた正方形であってもよい。
【００２３】
正面１１の中央には、入力及び表示を兼用するタッチパネル１７が取り付けられる。例えば、タッチパネル１７は、液晶パネル又は有機ＥＬ（Electro Luminescence）パネルといった表示装置と、タッチパッドといった位置入力装置との組み合わせによって構成される。なお、タッチパネル１７を構成する表示装置は、画面、ディスプレイ、モニタといった他の用語に読み替えられてもよい。
【００２４】
タッチパネル１７の形状は、図２に示すように、上端及び下端の辺が左端及び右端の辺よりも長い横長の長方形である。例えば、タッチパネル１７の横と縦の比は、１６対１０である。タッチパネル１７は、当該タッチパネル１７の上端又は下端の辺が正面１１の上端又は下端の辺に対して平行に取り付けられる。タッチパネル１７の対角線の長さは、７インチ以上であり、例えば、７インチ又は１０．１インチである。
【００２５】
背面１２の形状は、図３に示すように、正面１１の形状と同様、上端及び下端の辺が左端及び右端の辺よりも長く、角を丸めた横長の長方形である。なお、正面１１の形状が、角を丸めた正方形である場合、背面１２の形状も、角を丸めた正方形であってよい。
【００２６】
左側面１３の形状は、図４に示すように、正面１１の左端の辺及び背面１２の左端の辺を長辺とし、角を丸めた縦長の長方形である。右側面１４の形状は、図５に示すように、正面１１の右端の辺及び背面１２の右端の辺を長辺とし、角を丸めた縦長の長方形である。
【００２７】
上面１５の形状は、図６に示すように、正面１１の上端の辺及び背面１２の上端の辺を長辺とし、角を丸めた横長の長方形である。底面１６の形状は、図７に示すように、正面１１の下端の辺及び背面１２の下端の辺を長辺とし、角を丸めた横長の長方形である。
【００２８】
本開示の説明では、図２に示すように、正面１１の下端とタッチパネル１７の下端との間の領域を下方領域１０１と称する。正面１１の上端とタッチパネル１７の上端との間の領域を上方領域１０２と称する。正面１１の左端とタッチパネル１７の左端との間の領域を左方領域１０３と称する。正面１１の右端とタッチパネル１７の右端との間の領域を右方領域１０４と称する。
【００２９】
正面１１の中心点１０６を通り、正面１１の上端及び下端の辺と平行な想像上の線を、中心線１０５と称する。正面１１の中心点１０６を含み、かつ、左右方向（Ｘ方向）に幅２ｃｍであって、上下方向（Ｙ方向）に延びる帯状の想像上の領域を、帯状領域１０７と称する。なお、帯状領域１０７の幅は、２ｃｍよりも大きくてもよいし、小さくてもよい。
【００３０】
下方領域１０１の上下方向（Ｙ方向）の幅Ｗ１は、左方領域１０３及び右方領域１０４の左右方向（Ｘ方向）の幅Ｗ２よりも広い。これにより、タッチパネル１７の縦横の比率に比べて、正面１１の縦横の比率が正方形に近づくので、無線通信端末１の重量バランスが安定し、ユーザによる持ち運び及び把持しながらの操作が容易になる。
【００３１】
筐体１０の内部の上面１５、左側面１３及び／又は右側面１４付近には、無線通信用のアンテナ（図示しない）が設けられてよい。アンテナは、例えば、Ｗｉ−Ｆｉ（登録商標）、Ｂｌｕｅｔｏｏｔｈ（登録商標）、ＬＴＥ（Long Term Evolution）、４Ｇ（第４世代移動通信システム）及び／又は５Ｇ（第５世代移動通信システム）に基づく無線通信に対応する。
【００３２】
＜カメラ＞
図３に示すように、筐体１０の背面１２には、カメラ２１が取り付けられる。例えば、カメラ２１は、正面１１の上端とタッチパネル１７の上端との間の領域（つまり上方領域１０２）に対向する背面１２の領域に取り付けられる。カメラ２１の光軸は、背面１２に対して垂直である。ユーザは、筐体１０の左右を両手で把持し、背面１２を撮影の対象物に向けることにより、カメラ２１で対象物を撮影できる。
【００３３】
＜第１のボタン＞
図２に示すように、筐体１０の正面１１には、少なくとも１つの第１のボタン２２が取り付けられる。図２では、６個の第１のボタン２２が取り付けられている。例えば、第１のボタン２２は、下方領域１０１に取り付けられる。第１のボタン２２のうちの１つ（例えば最も右の第１のボタン２２）は、無線通信端末１の電源をＯＮ／ＯＦＦするための電源キーであってよい。第１のボタン２２の形状は横長の長方形である。ただし、第１のボタン２２の形状は、長方形に限られず、例えば、正方形、円形又は楕円形であってもよい。
【００３４】
＜第２のボタン＞
図２に示すように、筐体１０の正面１１には、少なくとも１つの第２のボタン２３が取り付けられる。第２のボタン２３は、正面１１の左方領域１０３及び右方領域１０４のうちの少なくとも一方に取り付けられる。図２では、左方領域１０３及び右方領域１０４の両方に第２のボタン２３が取り付けられている。第２のボタン２３の形状は、縦長の長方形である。ただし、第２のボタン２３の形状は、縦長の長方形に限られず、例えば、横長の長方形、正方形、円形又は楕円形であってもよい。
【００３５】
第２のボタン２３のうちの少なくとも１つには、カメラ２１を操作するための機能（例えばシャッター機能）が割り当てられてもよい。左方領域１０３及び右方領域１０４の両方の第２のボタン２３に対して、共通の機能が割り当てられてもよいし、左方領域１０３及び右方領域１０４のそれぞれの第２のボタン２３に対して、互いに異なる機能が割り当てられてもよい。第２のボタン２３に対する機能の割り当ては、ユーザが任意に設定できてもよい。
【００３６】
上述のとおり、筐体１０の正面１１に第２のボタン２３を取り付けることにより、ユーザは、無線通信端末１の筐体１０を左右から掴んだまま、親指で第２のボタン２３を押下できる。すなわち、無線通信端末１を両手で把持したままの操作性が向上する。
【００３７】
＜基板＞
図３に示すように、無線通信端末１の筐体１０の内部には、無線通信端末１を制御するための基板４０が配置される。基板４０が配置される位置は、バッテリー収容空間２４よりも上方である。
【００３８】
＜バッテリー収容空間＞
図３に示すように、無線通信端末１の筐体１０の内部には、バッテリーを収容するための２つのバッテリー収容空間２４Ａ、２４Ｂが、左右方向に並べて形成される。本開示では、２つのバッテリー収容空間２４Ａ、２４Ｂを包含して説明する場合、バッテリー収容空間２４と表現する。バッテリー収容空間２４は、背面１２の下端と中心線１０５との間の領域において、当該バッテリー収容空間２４の中心点１０８が、帯状領域１０７内に位置するように形成される。
【００３９】
このように、バッテリー収容空間２４を筐体１０の下方に形成することにより、バッテリー装着時における無線通信端末１の重量バランスが安定し、ユーザによる持ち運び及び把持しながらの操作が容易になる。
【００４０】
バッテリー収容空間２４Ａに収容されたバッテリーの電源端子と、バッテリー収容空間２４Ｂに収容されたバッテリーの電源端子とは、互いに対向する。バッテリーの電源端子と基板とを結ぶ配線（例えばフレキシブルケーブル）は、背面１２に対して平行な平面視において、ペン収容空間５０と交差しない。これにより、バッテリーの電源端子と基板４０とを結ぶ配線を邪魔しないペン収容空間５０を形成できる。
【００４１】
＜ペン収容空間＞
図８は、図３に示す無線通信端末におけるＡ−Ａ断面図である。次に、図３、図５、図８を参照して、ペン収容空間について説明する。
【００４２】
図３及び図８に示すように、タッチパネル１７の操作に用いられるペンを収容するためのペン収容空間５０は、無線通信端末１の筐体１０の右側面１４から筐体１０の内部に向けて中空に形成される。ペン収容空間５０の長手方向の軸は、バッテリー収容空間２４の上面に対して平行である。
【００４３】
ペン収容空間５０が形成される位置は、図３及び図８に示すように、背面１２と、タッチパネル１７の裏面に対向して配置された金属部材１８との間の空間であり、かつ、基板４０の下端と、バッテリー収容空間２４の上端との間の領域内である。金属部材１８は、例えば、板金である。ペン収容空間５０の長手方向の長さは、図３に示すように、背面１２の右端から帯状領域１０７の右端までの長さ以下であってよい。
【００４４】
なお、ペン収容空間５０は、筐体１０の左側面１３から筐体１０の内部に向けて中空に形成されてもよい。ペン収容空間５０の断面の形状は、円形であってもよいし、多角形であってもよい。ペン収容空間５０には、挿入されたペンを押さえるための爪が設けられてもよい。ペンは、スタイラス、スタイラスペン又はタッチペンといった他の用語に読み替えられてもよい。
【００４５】
このようにペン収容空間５０を形成することにより、アンテナ、基板４０及び／又はバッテリーといった構成要素を適切な位置に配置し、かつ、筐体１０を把持したままペンを取り出しやすい無線通信端末１を実現できる。
【００４６】
（本開示のまとめ）
本開示の一態様に係る無線通信端末（１）は、偏平の箱型の筐体（１０）と、筐体の正面（１１）に取り付けられたタッチパネル（１７）と、筐体の内部に形成された、バッテリーを収容するためのバッテリー収容空間（２４）と、筐体の左側面（１３）又は右側面（１４）から筐体の内部に向けて中空に形成された、タッチパネルの操作に用いられるペンを収容するためのペン収容空間（５０）と、を含み、タッチパネルの形状は、上端及び下端の辺が左端及び右端の辺よりも長い長方形であり、正面の下端とタッチパネルの下端との間の領域である下方領域の上下方向の幅は、正面の左端とタッチパネルの左端との間の領域である左方領域の左右方向の幅、及び、正面の右端とタッチパネルの右端との間の領域である右方領域の左右方向の幅の何れよりも広く、バッテリー収容空間の位置は、筐体の背面の下端と、正面の中心点を通り正面の上端又は下端の辺と平行な中心線との間の領域内であり、バッテリー収容空間の中心点は、正面の中心点を含みかつ左右方向に広がる幅２ｃｍの帯状領域内であり、ペン収容空間の長手方向の軸は、バッテリー収容空間の上面に対して平行である。ペン収容空間（５０）の位置は、タッチパネル（１７）の裏に対向して配置された金属部材（１８）と、背面（１２）との間であってよい。無線通信端末（１）は、筐体（１０）の内部に配置された基板（４０）をさらに含み、基板の位置は、バッテリー収容空間（２４）よりも上方であり、ペン収容空間の位置は、基板の下端とバッテリー収容空間の上端との間の領域内であってよい。この構成によれば、基板（４０）及び／又はバッテリーといった構成要素を適切な位置に配置し、かつ、筐体（１０）を把持したままペンを取り出しやすい無線通信端末（１）を実現できる。
【００４７】
バッテリー収容空間（２４）には２つのバッテリーが左右に並べて収容され、収容された２つのバッテリーの各々の電源端子は互いに対向し、当該電源端子と基板（４０）とを結ぶ配線は、背面（１２）に対して平行な平面視において、ペン収容空間（５０）と交差しなくてもよい。この構成によれば、バッテリーの電源端子と基板（４０）とを結ぶ配線を邪魔しないペン収容空間（５０）を形成できる。
【００４８】
無線通信端末（１）は、筐体（１０）の背面（１２）に取り付けられた、背面に対して垂直な光軸を有するカメラ（２１）をさらに含み、カメラの位置は、正面（１１）の上端とタッチパネル（１７）の上端との間の領域である上方領域（１０２）に対向する背面の領域内であってよい。
【００４９】
無線通信端末（１）は、筐体（１０）の正面（１１）に取り付けられた少なくとも１つの第１のボタン（２２）をさらに含み、第１のボタンの位置は、下方領域（１０１）内であってよい。
【００５０】
無線通信端末（１）は、筐体（１０）の正面（１１）に取り付けられた少なくとも１つの第２のボタン（２３）をさらに含み、第２のボタンの位置は、左方領域（１０３）又は右方領域（１０４）における、正面の中心点（１０６）を通り正面の上端又は下端の辺と並行な中心線（１０５）とタッチパネル（１７）の上端の辺を延長した線との間の領域内であってよい。
【００５１】
以上、添付図面を参照しながら実施の形態について説明したが、本開示はかかる例に限定されない。当業者であれば、特許請求の範囲に記載された範疇内において、各種の変更例、修正例、置換例、付加例、削除例、均等例に想到し得ることは明らかであり、それらについても本開示の技術的範囲に属すると了解される。また、発明の趣旨を逸脱しない範囲において、上述した実施の形態における各構成要素を任意に組み合わせてもよい。
【産業上の利用可能性】
【００５２】
本開示は、ペンを使用した操作が可能な電子機器の分野に有用である。
【符号の説明】
【００５３】
１  無線通信端末
１０  筐体
１１  正面
１２  背面
１３  左側面
１４  右側面
１５  上面
１６  底面
１７  タッチパネル
１８  金属部材
２１  カメラ
２２  第１のボタン
２３  第２のボタン
２４、２４Ａ、２４Ｂ  バッテリー収容空間
４０  基板
５０  ペン収容空間
１０１  下方領域
１０２  上方領域
１０３  左方領域
１０４  右方領域
１０５  中心線
１０６  正面の中心点
１０７  帯状領域
１０８  バッテリー収容空間の中心点
【要約】
【課題】無線通信端末の筐体内の適切な位置にペン収容空間を形成する。
【解決手段】無線通信端末は、偏平の箱型の筐体と、筐体の正面に取り付けられたタッチパネルと、筐体の内部に形成されたバッテリー収容空間と、筐体の左側面から筐体の内部に向けて中空に形成されたペン収容空間とを含み、タッチパネルの形状は、上端及び下端の辺が左端及び右端の辺よりも長い長方形であり、正面の下端とタッチパネルの下端との間の領域である下方領域の上下方向の幅は、正面の左端とタッチパネルの左端との間の領域である左方領域の左右方向の幅及び正面の右端とタッチパネルの右端との間の領域である右方領域の左右方向の幅の何れよりも広く、バッテリー収容空間の位置は、筐体の背面の下端と正面の上端又は下端と平行な中心線との間の領域内であり、ペン収容空間の長手方向の軸は、バッテリー収容空間の上面に対して平行である。
【選択図】図３【図１】
0006706851.tif 000002
【図２】
0006706851.tif 000003
【図３】
0006706851.tif 000004
【図４】
0006706851.tif 000005
【図５】
0006706851.tif 000006
【図６】
0006706851.tif 000007
【図７】
0006706851.tif 000008
【図８】
0006706851.tif 000009